(57)【特許請求の範囲】
【請求項１】
平板状トッププレ−トと、トッププレ−ト下方に覆設されるヒ−タ−ユニットを備え、ヒ−タ−ユニットは発熱線であるコイルヒーターが断熱材上に載置固定されるとともに、ヒ−タ−ユニットの発熱線端部に設けた端子は、前記断熱材を貫通して外郭ケ−ス下方に突出し、前記外郭ケ−ス下面に設けられた端子台に直接固定され、延長部にファストン接続される加熱調理器。
【発明の詳細な説明】
【０００１】
【発明の属する技術分野】
本発明は一般家庭で使用する加熱調理器に関するものである。
【０００２】
【従来の技術】
従来の技術を埋込み式誘導加熱調理器の上ユニット部を例にとって説明する。従来、この種埋込み式誘導加熱調理器は図５〜図８に示すような構造になっていた。すなわち、１は流し台２の上面開口部に落とし込まれる上ユニット部で、３は流し台２の前面から滑らせて上ユニット部１と係合する下ユニット部である。上ユニット部１は箱状の上ユニットケ−ス４とそれを上方から覆うトッププレ−ト５、またその内部には加熱コイルや制御用の回路基板等を有している。また、加熱コイルは、図７のプレ−トパタ−ン６の下方に位置するものである。
【０００３】
また、プレ−トパタ−ン７の下方には発熱線８で加熱するヒ−タ−ユニット９が配置されている。ヒ−タ−ユニット９には取付板１０がビス１１にて固定され、ヒ−タ−ユニット９の外周よりも外側に設けられた係合穴１２に、絶縁板１３を介して上ユニットケ−ス４に設けた支持軸１４に係合される。このとき、支持軸１４に挿入されたヒ−タ−スプリング１５により、ヒ−タ−ユニット９はトッププレ−ト５に圧着される。
【０００４】
また、ヒ−タ−ユニット９の通電端子１６は本体ケ−スの側面に位置しており、発熱線８はそれが載置される断熱材１７にＵ字状金具１８にて発熱線８の下側（断熱材１７との接触側）で固定されている。
【０００５】
下ユニット部３には、魚焼き用のロ−スタ−部１９、カンガル−ポケット式の操作部２０等を備えている。
【０００６】
【発明が解決しようとする課題】
しかしこのような構造のものでは、ヒ−タ−ユニット９を上ユニットケ−ス４内に取りつける際に取付板１０が必要なため、部品点数や組立工数が増加しコストアップにつながるとともに、係合穴１２はヒ−タ−ユニット９の外周よりも外側に位置しているため、上ユニットケ−ス４内の限られたスペ−スを余分に取ることになり、回路基板や冷却ファンモ−タ−等の他の部品を配置する上での制約が増加するという課題があった。
【０００７】
また、通電端子１６も、ヒ−タ−ユニット９の本体ケ−スの側面に位置しているため、さらに同様の課題を呈していた。
【０００８】
また、断熱材１７上に載置される発熱線８は、Ｕの字状金具１８にて発熱線８の下側を固定しているため、打ち込み時の作業性が悪い上に発熱線ピッチを押し広げてしまう可能性もあった。
【０００９】
【課題を解決するための手段】
この課題を解決するために本発明は、ヒ−タ−ユニットの発熱線端部に設けられた端子を固定する端子台を外郭ケ−ス下面に設けたものである。
【００１０】
これにより、ヒ−タ−ユニットを上ユニットケ−スに取り付ける際にヒ−タ−ユニット外周よりも通電端子が飛び出していないため、上ユニットケ−ス内のスペ−スを有効に使うことができる。
【００１１】
【発明の実施の形態】
請求項１に記載の発明は、平板状トッププレ−トと、トッププレ−ト下方に覆設されるヒ−タ−ユニットを備え、ヒ−タ−ユニットは発熱線であるコイルヒーターが断熱材上に載置固定されるとともに、ヒ−タ−ユニットの発熱線端部に設けた端子は、前記断熱材を貫通して外郭ケ−ス下方に突出し、前記外郭ケ−ス下面に設けられた端子台に直接固定され、延長部にファストン接続されるものであり、ヒ−タ−ユニットを上ユニットケ−スに取り付ける際にヒ−タ−ユニット外周よりも通電端子が飛び出していないため、上ユニットケ−ス内のスペ−スを有効に使えるという効果を有する。
【００１２】
また、ヒ−タ−ユニットの発熱線端部に設けた端子が、発熱線を載置固定している断熱材を貫通して外郭ケ−ス下方に突出するものであり、形状が安定しているため、ヒ−タ−ユニット組み立て時に容易に断熱材を介してヒ−タ−ユニット外方へ貫通せしめるという効果を有する。
【００１３】
また、発熱線端部に設けられた端子が、外郭ケ−ス下面に設けられた端子台に直接固定されたものであり、通電端子の安定した形状が保てファストン接続されるという効果を有する。
【００１４】
【実施例】
（実施例１）
以下本発明の一実施例について、埋込み式誘導加熱調理器の上ユニット部を例にとって図面を参照しながら説明する。なお、本発明の実施例に置ける外観は、従来例とほぼ同様であるため省略する。
【００１５】
図１において、２１・２２は流し台の上面開口部に落とし込まれる上ユニット部を形成する上ユニットケ−ス２１とトッププレ−ト２２でその内部にヒ−タ−ユニット２３を有している。ヒ−タ−ユニット２３は発熱線であるコイルヒ−タ−２４とそれを載置固定するシリカ系の粉末断熱材２５、それらを内包する外郭ケ−ス２６、通電するための端子２７および端子台２８から形成されている。外郭ケ−ス２６の下面には上ユニットケ−ス２１に設けられた支持軸２９に挿入されたヒ−タ−スプリング３０に絶縁板３１を介して係合する凹部３２が３ヵ所設けてある。
【００１６】
次に、この一実施例の構成における作用を説明する。ヒ−タ−ユニット２３を上ユニットケ−ス２１内にセットする際には、追加部品を取り付ける事なくヒ−タ−スプリング３０にセットでき、作業性の著しい向上が図れるとともに、係合部が外郭ケ−ス２６外周よりも飛び出していないため、上ユニットケ−ス２１内のスペ−スが有効に使えるものとなる。
【００１７】
以下本発明の他の実施例について、図２を参照しながら説明する。図２の実施例では、ヒ−タ−ユニット４１の外郭ケ−ス４２下面に端子台４３が設けられている。コイルヒ−タ−４４の略直線部４５が断熱材４６を貫通し、その先端に設けられた端子４７は端子台４３の導電板４８にビス固定されている。
【００１８】
次に、この一実施例の構成における作用を説明する。通電端子部が外郭ケ−ス４２の外周より飛び出していないため、上ユニットケ−ス内のスペ−スが有効活用できるものである。
【００１９】
（実施例２）
以下本発明の第２の実施例について、図３を参照しながら説明する。図３の実施例では、コイルヒ−タ−５１の両端に溶接された金属で形成された端子板５２が、断熱材５３を貫通して外郭ケ−ス５４の下面に設けた端子台５５の導電板５６にビス固定されている。
【００２０】
次に、この一実施例の構成における作用を説明する。ヒ−タ−ユニット組み立て時において、端子板５２を断熱材５３を貫通させる際に安定した形状をしているので、貫通途中での引っかかりを防止でき、作業性の著しい向上を図ることができるものである。
【００２１】
（実施例３）
以下本発明の第３の実施例について、図４を参照しながら説明する。図４の実施例では、コイルヒ−タ−６１の両端に溶接された金属で形成された端子板６２が、断熱材６３を貫通して外郭ケ−ス６４の下面に設けた樹脂製の端子台６５に直接ビス固定され、延長部６６にファストン接続されるものである。
【００２２】
次に、この一実施例の構成における作用を説明する。端子板６２が直接固定されているので、安定性にすぐれ、また導電板も不要となり、材料費の合理化が図れるものである。
【００２３】
【発明の効果】
上記実施例から明らかなように、請求項１に記載の発明によれば、ヒ−タ−ユニットを上ユニットケ−スに取り付ける際にヒ−タ−ユニット外周よりも通電端子が飛び出していないため、上ユニットケ−ス内のスペ−スを有効に使えるということとなる。
【００２４】
また、形状が安定し、ヒ−タ−ユニット組み立て時に容易に断熱材を介してヒ−タ−ユニット外方へ貫通せしめるということとなる。
【００２５】
また、通電端子の安定した形状が保てファストン接続されることとなる。
【図面の簡単な説明】
【図１】  本発明の第１の実施例における加熱調理器の要部横断面図
【図２】  本発明の第２の実施例における加熱調理器の要部横断面図
【図３】  本発明の第３の実施例における加熱調理器の要部横断面図
【図４】  本発明の第４の実施例における加熱調理器の要部横断面図
【図５】  従来例における全体斜視図
【図６】  図５におけるＸ−Ｘ断面を示す要部断面図
【図７】  従来例における要部分解斜視図
【図８】  （ａ）従来例における加熱調理器の要部断面図
（ｂ）同、加熱調理器の要部横断面図
【符号の説明】
２４、４４、５１、６１、８４  コイルヒ−タ−
２５、４６、５３、６３、８５  断熱材
２６、４２、５４、６４  外郭ケ−ス
２９  支持軸
３０  ヒ−タ−スプリング
３１  絶縁板
３２  凹部
４３、５５、６５  端子台
４５  略直線部
４７  端子
４８、５６  導電板
５２、６２  端子板
６６  延長部
【図１】
0003733864.tif 000002
【図２】
0003733864.tif 000003
【図３】
0003733864.tif 000004
【図４】
0003733864.tif 000005
【図５】
0003733864.tif 000006
【図６】
0003733864.tif 000007
【図７】
0003733864.tif 000008
【図８】
0003733864.tif 000009